(57)【要約】【課題】電気錠に開閉部材の施錠及び解錠の少なくとも一方を行わせる鍵装置について、登録又は登録の削除を行う場合の利便性を向上させること。【解決手段】電気錠制御システム１は、錠側通信部１１と、管理部１２２と、を備える。錠側通信部１１は、鍵装置２との間で無線通信を行う。管理部１２２は、第１登録装置に関する情報を管理する。第１登録装置は、電気錠３に建物の開口部を開閉する開閉部材の施錠及び解錠の少なくとも一方を行わせる。管理部１２２は、第２登録装置からの情報に基づいて、他の鍵装置２に対して登録及び登録の削除の少なくとも一方を行う。第２登録装置は、第１登録装置の登録及び登録の削除の少なくとも一方を行う権限を有する。【選択図】図１
2019039237.tif 000002
【特許請求の範囲】
【請求項１】
鍵装置との間で無線通信を行う錠側通信部と、
前記鍵装置であって、前記鍵装置と前記錠側通信部との間の通信により、電気錠に建物の開口部を開閉する開閉部材の施錠及び解錠の少なくとも一方を行わせる第１登録装置を管理する管理部と、を備え、
前記管理部は、前記鍵装置であって前記第１登録装置の登録及び前記登録の削除の少なくとも一方を行う権限を有する第２登録装置からの情報に基づいて、前記第２登録装置とは異なる他の鍵装置に対して前記登録及び前記登録の削除の少なくとも一方を行う
電気錠制御システム。
【請求項２】
前記第２登録装置は、前記錠側通信部からの情報を表示する表示部を有しており、
前記管理部は、前記第２登録装置からの情報に基づいて、前記第１登録装置に関する情報を、前記錠側通信部から前記第２登録装置へ出力する
請求項１記載の電気錠制御システム。
【請求項３】
前記第１登録装置に関する情報は、前記第１登録装置の種別を含む
請求項２記載の電気錠制御システム。
【請求項４】
前記管理部は、前記第２登録装置からの情報に基づいて、前記第１登録装置の種類ごとに、前記登録の削除を行う
請求項３に記載の電気錠制御システム。
【請求項５】
前記第２登録装置は、複数台である
請求項１乃至４のいずれか１項に記載の電気錠制御システム。
【請求項６】
鍵側通信部を有し、前記鍵側通信部と、建物の開口部を開閉する開閉部材を施錠又は解錠する電気錠を制御する電気錠制御システムとの通信により、前記電気錠に施錠及び解錠の少なくとも一方を行わせる登録装置の登録及び前記登録の削除の少なくとも一方を行う権限を有する鍵装置の通信方法であって、
前記鍵側通信部と前記電気錠制御システムとの通信により、前記鍵装置とは異なる他の鍵装置に対する前記登録、及び前記登録の削除の少なくとも一方を前記電気錠制御システムへ要求する要求ステップを有する
通信方法。
【請求項７】
前記鍵装置は、前記電気錠制御システムからの情報を表示する表示部を有しており、
前記電気錠制御システムからの情報に基づいて、前記登録装置に関する情報を、前記表示部に表示する表示ステップを更に有する
請求項６記載の通信方法。
【請求項８】
コンピュータシステムに、
請求項６又は７に記載の通信方法を実行させるための
プログラム。
【発明の詳細な説明】
【技術分野】
【０００１】
本開示は、一般に電気錠制御システム、通信方法、及びプログラムに関する。より詳細には、本開示は、建物に設けられた開閉部材を施錠又は解錠する電気錠を制御するための電気錠制御システム、通信方法、及びプログラムに関する。
【背景技術】
【０００２】
従来、携帯機（鍵装置）との間の無線通信に基づいてドア（開閉部材）の施解錠を制御するドア錠制御装置（電気錠制御システム）が開示されている（例えば、特許文献１参照）。特許文献１に記載のドア錠制御装置は、携帯機から送信された固有情報と、予め登録されている固有情報とを比較し、それらの固有情報が一致したときにドアを解錠する。また、ドア錠制御装置は、無線通信を通じて取得した携帯機の固有情報を、記憶手段に記憶することができる。
【先行技術文献】
【特許文献】
【０００３】
【特許文献１】特開２００９−２６４０１７号公報
【発明の概要】
【発明が解決しようとする課題】
【０００４】
特許文献１に記載の電気錠制御システムでは、開閉部材に設けられたコントローラの登録ボタンをユーザが操作することにより、新たな鍵装置を登録することが可能である。このように、従来の電気錠制御システムでは、電気錠に開閉部材の施錠及び解錠の少なくとも一方を行わせる鍵装置について、登録又は削除を行う場合に、ユーザは電気錠制御システムを操作する必要があり、利便性に乏しいという問題があった。
【０００５】
本開示は、上記の点に鑑みてなされており、電気錠に開閉部材の施錠及び解錠の少なくとも一方を行わせる鍵装置について、登録又は登録の削除を行う場合の利便性を向上させることを目的とする。
【課題を解決するための手段】
【０００６】
本開示の一態様に係る電気錠制御システムは、錠側通信部と、管理部と、を備える。前記錠側通信部は、鍵装置との間で無線通信を行う。前記管理部は、第１登録装置を管理する。前記第１登録装置は、前記鍵装置であって、前記鍵装置と前記錠側通信部との間の通信により、電気錠に建物の開口部を開閉する開閉部材の施錠及び解錠の少なくとも一方を行わせる。前記管理部は、第２登録装置からの情報に基づいて、前記第２登録装置とは異なる他の鍵装置に対して前記登録及び前記登録の削除の少なくとも一方を行う。前記第２登録装置は、前記鍵装置であって前記第１登録装置の登録及び前記登録の削除の少なくとも一方を行う権限を有する。
【０００７】
本開示の一態様に係る通信方法は、鍵側通信部を有し、前記鍵側通信部と、電気錠を制御する電気錠制御システムとの通信により、登録装置の登録及び前記登録の削除の少なくとも一方を行う権限を有する鍵装置の通信方法である。前記電気錠は、建物の開口部を開閉する開閉部材を施錠又は解錠する。前記登録装置は、前記電気錠に施錠及び解錠の少なくとも一方を行わせる。前記通信方法は、要求ステップを有する。前記要求ステップは、前記鍵側通信部と前記電気錠制御システムとの通信により、前記鍵装置とは異なる他の鍵装置に対する前記登録、及び前記登録の削除の少なくとも一方を前記電気錠制御システムへ要求するステップである。
【０００８】
本開示の一態様に係るプログラムは、コンピュータシステムに、上記の通信方法を実行させるためのプログラムである。
【発明の効果】
【０００９】
本開示は、電気錠に開閉部材の施錠及び解錠の少なくとも一方を行わせる鍵装置について、登録又は登録の削除を行う場合の利便性を向上させることができる、という利点がある。
【図面の簡単な説明】
【００１０】
【図１】図１は、本開示の一実施形態に係る電気錠制御システムの構成を示すブロック図である。
【図２】図２は、同上の電気錠制御システムの使用例の概念図である。
【図３】図３Ａは、同上の電気錠制御システムにおいて、第１登録装置の確認を行う動作の一例を示すシーケンス図である。図３Ｂは、同上の電気錠制御システムにおいて、第１登録装置の登録の削除を行う動作の一例を示すシーケンス図である。
【図４】図４は、同上の電気錠制御システムにおいて、第１登録装置の登録を行う動作の一例を示すシーケンス図である。
【図５】図５は、本開示の一実施形態の変形例に係る電気錠制御システムにおいて、表示部での表示の一例を示す概念図である。
【発明を実施するための形態】
【００１１】
（１）概要
以下、実施形態に係る電気錠制御システム１及び電気錠システム１０の概要について説明する。本実施形態の電気錠システム１０は、図１に示すように、電気錠制御システム１と、電気錠３と、を備えている。電気錠制御システム１は、図１に示すように、錠側通信部１１と、錠側制御部１２と、管理部１２２と、を備えている。
【００１２】
電気錠制御システム１は、図２に示すように、開閉部材５を施錠又は解錠する電気錠３を制御するためのシステムである。言い換えれば、電気錠３は、錠側制御部１２により制御されて開閉部材５を施錠又は解錠する。開閉部材５は、建物４の開口部４０を開閉する部材である。開閉部材５は、建物４の内側４１と外側４２とを隔てる扉又は窓であって、例えば、玄関扉、勝手口ドア、又は掃き出し窓等である。本実施形態では、開閉部材５は、玄関扉である。電気錠制御システム１及び電気錠３は、開閉部材５に設置されている。電気錠制御システム１の錠側通信部１１は、鍵装置２との間で無線通信を行う。そして、電気錠制御システム１の錠側制御部１２は、鍵装置２と錠側通信部１１と間の通信により、電気錠３を制御する。
【００１３】
鍵装置２は、電気錠制御システム１との通信機能を有している。本実施形態では、電気錠制御システム１と鍵装置２との間の通信方式は、電波を媒体とする無線通信である。また、本実施形態では、電気錠制御システム１及び鍵装置２は、いずれも電池駆動式である。また、本実施形態では、鍵装置２は、例えば電話機能を有する携帯端末である。本実施形態では、建物４が戸建て住宅である場合を例として説明する。したがって、電気錠制御システム１のユーザ６は、建物４の住人のうち、鍵装置２を所有する人である。
【００１４】
本実施形態では、鍵装置２に予め記憶されている鍵情報を、鍵装置２が電気錠制御システム１へ送信することによって、開閉部材５の解錠及び施錠を可能にする。すなわち、錠側通信部１１と鍵装置２とが通信し、錠側制御部１２において鍵装置２の持つ鍵情報の認証に成功した場合に、電気錠制御システム１は開閉部材５の解錠及び施錠が可能な状態となる。ここで、電気錠制御システム１は、ユーザ６による錠側操作部１３（後述する）の操作をトリガとして認証を行い、開閉部材５の施錠又は解錠を行ってもよい。また、電気錠制御システム１は、認証の成功後、ユーザ６による錠側操作部１３の操作を待って開閉部材５の施錠又は解錠を行ってもよい。いずれにせよ、電気錠制御システム１は、鍵装置２との通信によって、開閉部材５を施錠状態から解錠状態へ切り替える解錠動作、及び開閉部材５を解錠状態から施錠状態へ切り替える施錠動作の少なくとも一方の動作を行う。
【００１５】
本実施形態では、管理部１２２は、第１登録装置２Ａ（図３Ｂ参照）を管理している。第１登録装置２Ａは、電気錠制御システム１に登録されている鍵装置２である。より具体的には、第１登録装置２Ａは、鍵装置２であって、鍵装置２と錠側通信部１１との通信により、電気錠３に開閉部材５の施錠及び解錠の少なくとも一方を行わせる。つまり、鍵装置２は、電気錠制御システム１に登録されることで、開閉部材５の施錠及び解錠の少なくとも一方が可能になる。したがって、電気錠制御システム１に登録されていない鍵装置２は、錠側通信部１１との通信は可能であっても、開閉部材５の施錠及び解錠はできない。
【００１６】
そして、本実施形態では、管理部１２２は、第２登録装置２Ｂからの情報に基づいて、第２登録装置２Ｂとは異なる他の鍵装置２に対して、登録及び登録の削除の少なくとも一方を行う。第２登録装置２Ｂは、電気錠制御システム１に登録されている鍵装置２であり、かつ、第１登録装置２Ａの登録及び登録の削除の少なくとも一方を行う権限を有している。
【００１７】
つまり、本実施形態では、第２登録装置２Ｂを所有するユーザ６は、第２登録装置２Ｂを操作することで、電気錠制御システム１を直接操作せずとも、他の鍵装置２を第１登録装置２Ａとして登録したり、登録を削除したりすることが可能である。したがって、本実施形態では、電気錠３に開閉部材５の施錠及び解錠の少なくとも一方を行わせる鍵装置２について、登録又は登録の削除を行う場合の利便性を向上させることができる、という利点がある。
【００１８】
（２）詳細
以下、本実施形態に係る電気錠制御システム１及び電気錠システム１０の構成について、図１及び図２を参照して説明する。
【００１９】
（２．１）電気錠制御システム
電気錠制御システム１は、図１に示すように、錠側通信部１１と、錠側制御部１２と、錠側操作部１３と、錠側記憶部１４と、を備えている。本実施形態では、錠側通信部１１、錠側制御部１２、錠側操作部１３、及び錠側記憶部１４が１つのケースに収納されている。
【００２０】
錠側通信部１１は、例えば、アンテナと、通信回路と、を有している。錠側通信部１１は、鍵装置２との間で電波を媒体とする無線通信を行う。無線通信にて使用する周波数帯域は、例えば、４２０ＭＨｚ帯、９２０ＭＨｚ帯、２．４ＧＨｚ帯などである。錠側通信部１１は、例えばＢＬＥ（Bluetooth Low Energy）の規格に準拠した近距離無線通信を行うように構成されている。ここで、「ＢＬＥ」とは、無線ＰＡＮ（Personal Area Network）技術であるＢｌｕｅｔｏｏｔｈ（登録商標）の仕様における、低消費電力仕様の呼称である。錠側通信部１１は、錠側制御部１２からの指令に従って、ビーコン信号を送信する。また、錠側通信部１１は、ビーコン応答を受信する。ビーコン応答は、ビーコン信号に応答した鍵側通信部２２（後述する）から送信される。つまり、錠側通信部１１は、信号の送信機能及び受信機能を有しており、鍵側通信部２２との間で双方向の通信を行うように構成されている。
【００２１】
錠側制御部１２は、例えば、プロセッサ及びメモリを有するマイクロコンピュータで構成されている。つまり、錠側制御部１２は、プロセッサ及びメモリを有するコンピュータシステムで実現されている。そして、プロセッサが適宜のプログラムを実行することにより、コンピュータシステムが錠側制御部１２として機能する。プログラムは、メモリに予め記録されていてもよいし、インターネット等の電気通信回線を通じて、又はメモリカード等の非一時的な記録媒体に記録されて提供されてもよい。錠側制御部１２は、認証部１２１と、管理部１２２と、を有している。
【００２２】
認証部１２１は、錠側通信部１１が鍵装置２から受信した鍵情報を、錠側記憶部１４が記憶する認証情報と照合することにより、鍵情報を送信してきた鍵装置２が、電気錠３の操作を許可された鍵装置２であるか否かを認証する認証処理を行う。すなわち、認証部１２１は、鍵情報を送信してきた鍵装置２が正規の鍵装置（第１登録装置２Ａ又は第２登録装置２Ｂ）であるか否かを認証する。錠側制御部１２は、認証部１２１での認証に成功した場合、制御信号（解錠信号又は施錠信号）を電気錠３へ出力する。
【００２３】
管理部１２２は、第１登録装置２Ａを管理する。ここでいう「第１登録装置２Ａを管理する」とは、第１登録装置２Ａとして登録されていない鍵装置２を第１登録装置２Ａとして登録すること、及び第１登録装置２Ａとして登録されている鍵装置２の登録を削除することを含む。本実施形態では、管理部１２２は、第２登録装置２Ｂからの要求信号（情報）に応じて、他の鍵装置２を第１登録装置２Ａとして登録したり、登録を削除したりする。管理部１２２の動作については、「（３）動作」の欄にて詳細に説明する。
【００２４】
錠側操作部１３は、ユーザ６による操作入力を受け付ける機能を有している。錠側操作部１３は、例えば押釦スイッチからなる。錠側操作部１３は、建物４の内側４１と外側４２との各々に設けられている。その他、錠側操作部１３は、例えば開閉部材５（玄関扉）に備わっているドアハンドル（取っ手）であってもよいし、ユーザ６がドアハンドルに触れる操作を検知するタッチセンサ等であってもよい。錠側操作部１３は、ユーザ６による操作入力を受け付けると、操作入力に応じた操作信号を錠側制御部１２に出力する。
【００２５】
錠側記憶部１４は、例えばＥＥＰＲＯＭ（Electrically Erasable and Programmable Read-Only Memory）のような電気的に書き換え可能な不揮発性メモリを備える。錠側記憶部１４は、電気錠３の制御を許可された１台以上の鍵装置２（ここでは、第１登録装置２Ａ及び第２登録装置２Ｂ）の鍵情報を認証情報として記憶する。本実施形態では、鍵装置２が第１登録装置２Ａとして登録されると、鍵装置２に固有の鍵情報が付与される。このため、錠側記憶部１４は、鍵装置２の識別情報と、鍵装置２に付与された鍵情報とを対応付けて記憶する。識別情報は、例えば鍵装置２の固有のＩＤ（Identification）である。
【００２６】
（２．２）鍵装置
鍵装置２は、例えばスマートフォンのような携帯端末、ユーザ６が所持する鞄などに収納又は取付可能な電子タグ、及びＩＣ（Integrated Circuit）カード等である。本実施形態では、第２登録装置２Ｂである鍵装置２は、携帯端末であり、図１に示すように、鍵側制御部２１と、鍵側通信部２２と、鍵側操作部２３と、鍵側記憶部２４と、表示部２５と、を備えている。また、本実施形態では、第１登録装置２Ａとして登録され得る鍵装置２は、少なくとも鍵側通信部２２と、鍵側記憶部２４と、を有している。
【００２７】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが適宜のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。
【００２８】
鍵側通信部２２は、例えば、アンテナと、通信回路と、を有している。鍵側通信部２２は、錠側通信部１１との間で、例えばＢＬＥの規格に準拠した近距離無線通信を行うように構成されている。鍵側通信部２２は、鍵側制御部２１からの指令に従って、応答信号を錠側通信部１１へ送信する。また、鍵側通信部２２は、錠側通信部１１から送信されるビーコン信号を受信する。鍵側通信部２２は、ビーコン信号を受信すると、ビーコン信号を受信したことを通知するビーコン応答を錠側通信部１１へ送信する。つまり、鍵側通信部２２は、信号の送信機能及び受信機能を有しており、錠側通信部１１との間で双方向の通信を行うように構成されている。鍵装置２からのビーコン応答を錠側通信部１１が受信することにより、鍵装置２の認証を行うための認証通信が電気錠制御システム１と鍵装置２との間で開始される。
【００２９】
鍵側操作部２３は、ユーザ（つまり、人）６による操作入力を受け付ける機能を有している。鍵側操作部２３は、例えば鍵装置２のケースに設けられた押釦スイッチで構成されていてもよいし、鍵装置２のケースに設けられたレバーで構成されていてもよい。本実施形態では、鍵側操作部２３は、表示部２５を構成するディスプレイ装置に設けられたタッチパネルを有している。タッチパネルは、静電容量方式、感圧式などのタッチセンサを有する。ユーザ６が表示部２５のディスプレイ装置に触れる操作（タップ操作、スワイプ操作等）を行うと、鍵側操作部２３は、操作に応じた信号を鍵側制御部２１に出力する。
【００３０】
鍵側記憶部２４は、例えばＥＥＰＲＯＭのような電気的に書き換え可能な不揮発性メモリを備える。鍵側記憶部２４は、鍵装置２に割り当てられた個別の識別情報、及び電気錠制御システム１から付与された鍵情報等を記憶する。また、鍵側記憶部２４には、鍵装置２のコンピュータシステムが実行するプログラムが記憶されている。このプログラムは、予めメモリに記憶されていてもよいし、インターネット等の電気通信回線を通じて、又はメモリカード等の非一時的な記録媒体に記録されて提供されてもよい。本実施形態のように、鍵装置２がスマートフォンであれば、鍵側記憶部２４には、ユーザ６が任意にインストールしたアプリケーションが記憶されていてもよい。
【００３１】
表示部２５は、例えば液晶ディスプレイ、有機ＥＬ（Electro Luminescence）ディスプレイ等の薄型ディスプレイ装置である。表示部２５は、鍵側制御部２１によって表示内容が制御される。
【００３２】
（２．３）電気錠
電気錠３は、開閉部材５（ここでは、玄関扉）を解錠及び施錠する。電気錠３は、デッドボルトと、駆動部と、駆動回路と、を有している。駆動回路は、錠側制御部１２から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。デッドボルトが解錠位置に移動した状態では、デッドボルトの全体がボルト穴の外に出ており、この状態では開閉部材５の開閉が可能になる。
【００３３】
（３）動作
以下、本実施形態の電気錠制御システム１の動作について説明する。
【００３４】
（３．１）認証
まず、電気錠制御システム１による認証について説明する。錠側制御部１２は、錠側通信部１１を制御してアンテナを間欠的に駆動することで、ビーコン信号を送信する。ここで、鍵装置２（ここでは、第１登録装置２Ａ又は第２登録装置２Ｂ）を所有するユーザ６が電気錠制御システム１の通信エリアに立ち入ると、鍵側通信部２２は、錠側通信部１１からのビーコン信号を受信する。通信エリアは、鍵装置２での処理に必要な強度を持って、鍵装置２が電気錠制御システム１からの無線信号を受信可能な範囲である。
【００３５】
鍵装置２は、ビーコン信号を受信すると、ビーコン応答を錠側通信部１１へ送信する。鍵装置２からのビーコン応答を錠側通信部１１が受信することにより、認証部１２１は、認証処理を実行する。認証処理に成功した場合、錠側制御部１２は、自動的に又はユーザ６による錠側操作部１３の操作を待って、電気錠３を制御して開閉部材５を施錠又は解錠する。一方、認証処理に失敗した場合、又は一定時間、鍵装置２からのビーコン応答を受信しなかった場合、錠側制御部１２は電気錠３を制御しない。
【００３６】
（３．２）登録の確認
次に、第２登録装置２Ｂを所有するユーザ６Ｂ（図２参照）が、第２登録装置２Ｂを用いて電気錠制御システム１に登録されている鍵装置２（第１登録装置２Ａ）を確認する動作について、図３Ａを用いて説明する。以下の説明では、第１登録装置２Ａは複数台あると仮定する。
【００３７】
まず、ユーザ６Ｂは、第２登録装置２Ｂに対して、第１登録装置２Ａを確認するための操作を行う。これにより、鍵側操作部２３は、確認操作を受け付ける（ステップＳ１０）。鍵側制御部２１は、鍵側操作部２３にて確認操作を受け付けると、第１登録装置２Ａに関する情報を要求する確認要求信号を、鍵側通信部２２から電気錠制御システム１へ送信する（ステップＳ１１）。
【００３８】
電気錠制御システム１において、錠側通信部１１が確認要求信号を受信すると（ステップＳ１２）、管理部１２２は、電気錠制御システム１に登録されている第１登録装置２Ａの一覧（リスト）を錠側記憶部１４から読み出す。そして、管理部１２２は、第１登録装置２Ａの一覧を含む応答信号を、錠側通信部１１から第２登録装置２Ｂへ送信する（ステップＳ１３）。
【００３９】
第２登録装置２Ｂにおいて、鍵側通信部２２が応答信号を受信すると（ステップＳ１４）、鍵側制御部２１は、応答信号に含まれる第１登録装置２Ａの一覧を表示部２５に表示する（ステップＳ１５）。ここでは、表示部２５には、第１登録装置２Ａが識別情報の小さい順番に並べて表示される。
【００４０】
つまり、第２登録装置２Ｂは、錠側通信部１１からの情報を表示する表示部２５を有している。そして、管理部１２２は、第２登録装置２Ｂからの情報（確認要求信号）に基づいて、第１登録装置２Ａに関する情報（第１登録装置２Ａの一覧）を、錠側通信部１１から第２登録装置２Ｂへ送信する。このため、ユーザ６Ｂは、第２登録装置２Ｂを操作することで、電気錠制御システム１を直接操作せずとも、電気錠制御システム１に登録されている鍵装置２（第１登録装置２Ａ）を把握することが可能である。
【００４１】
（３．３）登録の削除
次に、第２登録装置２Ｂを所有するユーザ６Ｂが、第２登録装置２Ｂを用いて電気錠制御システム１に登録されている鍵装置２（第１登録装置２Ａ）の登録を削除する動作について、図３Ｂを用いて説明する。以下の説明では、上述の「（３．２）登録の確認」に示すように、既に第２登録装置２Ｂの表示部２５に第１登録装置２Ａの一覧が表示されていると仮定する。
【００４２】
まず、ユーザ６Ｂは、第２登録装置２Ｂに対して、第１登録装置２Ａの登録を削除するための操作を行う。例えば、ユーザ６Ｂは、表示部２５に表示されている第１登録装置２Ａの一覧を見ながら、登録を削除したい第１登録装置２Ａの識別情報を選択する。これにより、鍵側操作部２３は、削除操作を受け付ける（ステップＳ２０）。鍵側制御部２１は、鍵側操作部２３にて削除操作を受け付けると、選択された第１登録装置２Ａの登録の削除を要求する削除要求信号を、鍵側通信部２２から電気錠制御システム１へ送信する（ステップＳ２１）。
【００４３】
電気錠制御システム１において、錠側通信部１１が削除要求信号を受信すると（ステップＳ２２）、管理部１２２は、削除要求信号にて指定されている第１登録装置２Ａに関する情報（識別情報、認証情報など）を、錠側記憶部１４から消去する。これにより、電気錠制御システム１から、ユーザ６Ｂの指定した第１登録装置２Ａの登録が削除される（ステップＳ２３）。そして、管理部１２２は、登録を削除した旨を表す情報を含む通知信号を、錠側通信部１１からユーザ６Ｂの指定した第１登録装置２Ａ（つまり、登録を削除された鍵装置２）へ送信する（ステップＳ２４）。通知信号は、登録を削除された鍵装置２が電気錠制御システム１の通信エリア内にいる際に送信される。登録を削除された鍵装置２を所有するユーザ６は、自己の所有する鍵装置２を用いて開閉部材５の施錠又は解錠を行えないことを把握することができる。なお、電気錠制御システム１でのソフトウェア処理の簡素化を図るために、通知信号は、登録を削除された鍵装置２に送信されなくてもよい。
【００４４】
ユーザ６Ｂは、登録を削除したい第１登録装置２Ａの識別情報を選択する際に、複数台の第１登録装置２Ａを選択してもよい。この場合、管理部１２２は、選択された複数台の第１登録装置２Ａの登録を削除する。
【００４５】
つまり、管理部１２２は、第２登録装置２Ｂからの情報（削除要求信号）に基づいて、第２登録装置２Ｂとは異なる他の鍵装置２（第１登録装置２Ａ）に対して登録の削除を行う。このため、ユーザ６Ｂは、第２登録装置２Ｂを操作することで、電気錠制御システム１を直接操作せずとも、電気錠制御システム１に登録されている鍵装置２（第１登録装置２Ａ）の登録を削除することが可能である。
【００４６】
（３．４）登録
次に、第２登録装置２Ｂを所有するユーザ６Ｂが、第２登録装置２Ｂを用いて電気錠制御システム１に登録されていない未登録の鍵装置２を登録する動作について、図４を用いて説明する。以下の説明では、図２に示すように、第２登録装置２Ｂを所有するユーザ６Ｂと、未登録の鍵装置２を所有するユーザ６Ａとが、電気錠制御システム１の傍にいると仮定する。つまり、以下の説明では、第２登録装置２Ｂ及び未登録の鍵装置２は、いずれも電気錠制御システム１の通信エリア内にあると仮定する。また、以下の説明では、未登録の鍵装置２は、スマートフォンのような携帯端末であると仮定する。
【００４７】
まず、ユーザ６Ｂは、第２登録装置２Ｂに対して、未登録の鍵装置２を登録するための操作を行う。例えば、ユーザ６Ｂは、未登録の鍵装置２の識別情報を入力する。これにより、鍵側操作部２３は、登録操作を受け付ける（ステップＳ３０）。鍵側制御部２１は、鍵側操作部２３にて登録操作を受け付けると、未登録の鍵装置２の登録を要求する登録要求信号を、鍵側通信部２２から電気錠制御システム１へ送信する（ステップＳ３１）。
【００４８】
電気錠制御システム１において、錠側通信部１１が登録要求信号を受信すると（ステップＳ３２）、管理部１２２は、鍵情報を含む鍵信号を、錠側通信部１１から未登録の鍵装置２へ送信する（ステップＳ３３）。ここで、鍵情報は、登録要求信号に含まれていてもよいし、登録要求信号に基づいて生成されてもよい。
【００４９】
未登録の鍵装置２において、鍵側通信部２２が鍵信号を受信すると（ステップＳ３４）、鍵側制御部２１は、例えば「登録する」、「登録しない」の２つの選択肢を表示部２５に表示する。ユーザ６Ａが「登録する」の選択肢を選ぶ操作を行うと、鍵側制御部２１は、鍵信号に含まれる鍵情報を鍵側記憶部２４に記憶する（ステップＳ３５）。このとき、鍵側記憶部２４が既に無効となっている鍵情報を記憶している場合は、無効となっている鍵情報を破棄する。そして、鍵側制御部２１は、登録する旨を表す情報を含む応答信号を、鍵側通信部２２から電気錠制御システム１へ送信する（ステップＳ３６）。
【００５０】
電気錠制御システム１において、錠側通信部１１が応答信号を受信すると（ステップＳ３７）、管理部１２２は、未登録の鍵装置２の識別情報、鍵情報（認証情報）と紐付けて錠側記憶部１４に記憶する。これにより、未登録の鍵装置２が、第１登録装置２Ａとして電気錠制御システム１に登録される（ステップＳ３８）。
【００５１】
一方、未登録の鍵装置２において、ユーザ６Ａが「登録しない」の選択肢を選ぶ操作を行うと、鍵側制御部２１は、受信した鍵情報を破棄する。また、鍵側制御部２１は、登録しない旨を表す情報を含む応答信号を、鍵側通信部２２から電気錠制御システム１へ送信する。電気錠制御システム１において、錠側通信部１１が応答信号を受信すると、管理部１２２は、鍵情報を破棄する。
【００５２】
つまり、管理部１２２は、第２登録装置２Ｂからの情報（登録要求信号）に基づいて、第２登録装置２Ｂとは異なる他の鍵装置２（未登録の鍵装置２）に対して、登録を行う。このため、ユーザ６Ｂは、第２登録装置２Ｂを操作することで、電気錠制御システム１を直接操作せずとも、電気錠制御システム１に未登録の鍵装置２を登録させることが可能である。
【００５３】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５４】
一実施形態に係る通信方法は、鍵側通信部２２を有する鍵装置２（第２登録装置２Ｂ）の通信方法である。すなわち、通信方法は、鍵側通信部２２と、電気錠３を制御する電気錠制御システム１との通信により、登録装置（第１登録装置２Ａ）の登録及び登録の削除の少なくとも一方を行う権限を有する鍵装置２の通信方法である。電気錠３は、建物４の開口部４０を開閉する開閉部材５を施錠又は解錠する。登録装置（第１登録装置２Ａ）は、電気錠３に施錠及び解錠の少なくとも一方を行わせる。通信方法は、要求ステップを有する。要求ステップは、鍵側通信部２２と電気錠制御システム１との通信により、上記鍵装置２とは異なる他の鍵装置２に対する登録、及び登録の削除の少なくとも一方を電気錠制御システム１へ要求するステップである。
【００５５】
また、上記の通信方法は、表示ステップを更に有していてもよい。この場合、鍵装置２は、電気錠制御システム１からの情報を表示する表示部２５を有している。そして、表示ステップは、電気錠制御システム１からの情報に基づいて、登録装置（第１登録装置２Ａ）に関する情報を、表示部２５に表示するステップである。
【００５６】
一実施形態に係るプログラムは、コンピュータシステムに、上記の通信方法を実行させるためのプログラムである。
【００５７】
以下、実施形態の変形例を列挙する。以下に説明する変形例は、適宜組み合わせて適用可能である。
【００５８】
上述の実施形態では、管理部１２２は、第２登録装置２Ｂからの情報（確認要求信号）に基づいて、第１登録装置２Ａに関する情報（第１登録装置２Ａの一覧）を、錠側通信部１１から第２登録装置２Ｂへ送信しているが、これに限定する趣旨ではない。例えば、第１登録装置２Ａに関する情報は、第１登録装置２Ａの種別を含んでいてもよい。この場合、鍵側制御部２１は、鍵側通信部２２にて応答信号を受信すると、第１登録装置２Ａが種類別に並ぶように表示部２５に表示する。
【００５９】
例えば、図５に示すように、表示部２５は、電子タグを表す第１アイコン６１、ＩＣカードを表す第２アイコン６２、及び携帯端末を表す第３アイコン６３を縦方向に並べて表示する。そして、表示部２５は、第１アイコン６１の横に、第１登録装置２Ａとして登録されている１以上の電子タグの識別情報７１を並べて表示する。また、表示部２５は、第２アイコン６２の横に、第１登録装置２Ａとして登録されている１以上のＩＣカードの識別情報７２を並べて表示する。また、表示部２５は、第３アイコン６３の横に、第１登録装置２Ａとして登録されている１以上の携帯端末の識別情報７３を並べて表示する。ここで、識別情報７１〜７３にユーザ６の属性（例えば、「父」、「姉」など）が紐付けられている場合、表示部２５は、識別情報７１〜７３の代わりにユーザ６の属性を表示してもよい。
【００６０】
上記の態様では、ユーザ６Ｂが第１アイコン６１、第２アイコン６２、又は第３アイコン６３のいずれかを選択する操作を行うことにより、第１登録装置２Ａの登録を種類ごとに削除することが可能である。例えば、ユーザ６Ｂが第１アイコン６１を選択する操作を行った場合、鍵側制御部２１は、第１登録装置２Ａとして登録されている全ての電子タグの登録の削除を要求する削除要求信号を、鍵側通信部２２から電気錠制御システム１へ送信する。電気錠制御システム１において、管理部１２２は、錠側通信部１１が削除要求信号を受信すると、第１登録装置２Ａとして登録されている全ての電子タグの登録を削除する。
【００６１】
つまり、上記の態様では、管理部１２２は、第２登録装置２Ｂからの情報（削除要求信号）に基づいて、第１登録装置２Ａの種類ごとに、登録の削除を行うことが可能である。このため、上記の態様では、ユーザ６Ｂは、第１登録装置２Ａを種類ごとに一括して削除することが可能であり、利便性が向上する。
【００６２】
もちろん、上記の態様においても、ユーザ６Ｂは、第１登録装置２Ａを１つずつ削除することは可能である。例えば、ユーザ６Ｂが、アイコン６１〜６３ではなく、表示部２５に表示されている識別情報を選択する操作を行ったとする。この場合、鍵側制御部２１は、選択された第１登録装置２Ａの登録の削除を要求する削除要求信号を、鍵側通信部２２から電気錠制御システム１へ送信する。電気錠制御システム１において、管理部１２２は、錠側通信部１１が削除要求信号を受信すると、削除要求信号にて指定されている第１登録装置２Ａの登録を削除する。
【００６３】
上述の実施形態では、第２登録装置２Ｂは、１台であってもよいし、複数台であってもよい。例えば、電気錠制御システム１を家族で用いる場合、父親の所有する携帯端末と、母親の所有する携帯端末とがそれぞれ第２登録装置２Ｂであってもよい。
【００６４】
ここで、例えば、鍵装置２のうち表示部２５を有する携帯端末は、全て第１登録装置２Ａとして登録されると、第２登録装置２Ｂとして登録されてもよい。また、例えば、鍵装置２のうち表示部２５を有する携帯端末は、第１登録装置２Ａとして登録される順番に従って、第２登録装置２Ｂとして登録されてもよい。例えば、最初に第１登録装置２Ａとして登録された携帯端末だけが、第２登録装置２Ｂとして登録されてもよい。その他、鍵装置２のうち表示部２５を有する携帯端末は、第１登録装置２Ａとして登録され、かつ、サーバでの認証に成功すると、初めて第２登録装置２Ｂとして登録されてもよい。サーバでの認証は、例えば携帯端末にて入力した管理用パスワードが、サーバで記憶しているパスワードに一致する場合に成功する。
【００６５】
上述の実施形態において、電気錠制御システム１がサーバと通信可能な場合、管理部１２２は、サーバに設けられていてもよいし、サーバ自体であってもよい。この場合、錠側通信部１１は、第２登録装置２Ｂと管理部１２２との間を中継する機能を有していてもよい。また、第２登録装置２Ｂは、錠側通信部１１を介さずに、管理部１２２と通信する機能を有していてもよい。
【００６６】
また、鍵装置２が例えばインターネット等のネットワークを介してサーバと通信可能であれば、管理部１２２は、鍵情報を未登録の鍵装置２へ送信することも可能である。この場合、未登録の鍵装置２が電気錠制御システム１の通信エリア内にない場合でも、未登録の鍵装置２を第１登録装置２Ａとして登録することが可能である。なお、この場合、管理部１２２は、単に鍵情報を未登録の鍵装置２へ送信するのではなく、まず、鍵情報の取得用のＵＲＬ（Uniform Resource Locator）を含む信号を未登録の鍵装置２へ送信するのが好ましい。そして、管理部１２２は、未登録の鍵装置２を所有するユーザ６ＡによるＵＲＬへのアクセスを条件として、鍵情報を未登録の鍵装置２へ送信するのが好ましい。
【００６７】
上述の実施形態において、管理部１２２は、登録を削除された鍵装置２が電気錠制御システム１の通信エリア内にいる際に通知しているが、これに限定する趣旨ではない。例えば、管理部１２２は、登録を削除したときに、サーバを中継して登録を削除された鍵装置２に通知してもよい。また、上述の実施形態において、管理部１２２は、登録を削除された鍵装置２に対して通知しなくてもよい。
【００６８】
上述の実施形態において、管理部１２２は、第２登録装置２Ｂからの情報に基づいて、登録内容を変更してもよい。例えば、第１登録装置２Ａの登録に期限が設定されている場合に、管理部１２２は、第２登録装置２Ｂからの情報に基づいて、第１登録装置２Ａの期限を更新する等してもよい。
【００６９】
上述の実施形態では、未登録の鍵装置２は、鍵信号を受信したときに、登録するか否かを選択するための選択肢を表示部２５に表示させているが、これに限定する趣旨ではない。例えば、未登録の鍵装置２が表示部２５を有していない場合などであれば、未登録の鍵装置２は、鍵信号を受信すると鍵情報を記憶し、応答信号を電気錠制御システム１へ送信してもよい。つまり、未登録の鍵装置２においてユーザ６Ａによる登録の意思を確認するか否かは任意である。
【００７０】
（５）その他の変形例
以下、その他の変形例について列挙する。以下に説明する変形例は、「（４）変形例」に列挙した変形例を含めて、適宜組み合わせて適用可能である。
【００７１】
本開示における電気錠制御システム１又は通信方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御システム１又は通信方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７２】
上述の実施形態では、管理部１２２が錠側制御部１２に含まれているが、管理部１２２が錠側制御部１２に含まれていなくてもよい。すなわち、管理部１２２は、錠側制御部１２と別体に設けられていてもよい。
【００７３】
上述の実施形態では、錠側制御部１２が１つの回路で実現されているが、２つ以上の回路で実現されていてもよい。例えば、錠側制御部１２の機能が、２つ以上の回路に分散して設けられていてもよい。また、例えば、錠側制御部１２の機能が、１つのケースに収まる１つの装置に設けられていてもよいし、複数の装置に分散して設けられていてもよい。さらに、錠側制御部１２の少なくとも一部の機能は、例えば、クラウド（クラウドコンピューティング）によって実現されていてもよい。
【００７４】
上述の実施形態では、錠側通信部１１及び錠側制御部１２が１つのケースに収納されているが、これに限定する趣旨ではない。例えば、錠側通信部１１及び錠側制御部１２は、２つ以上のケースに分散して収納されていてもよい。
【００７５】
上述の実施形態では、第２登録装置２Ｂは、スマートフォンのような携帯端末であるが、これに限定する趣旨ではない。例えば、第２登録装置２Ｂは、表示部２５を有し、コンピュータシステムを電気錠制御システム１の鍵として動作させるためのプログラム（アプリケーション）を実行可能な携帯端末であれば、タブレット型のコンピュータ等であってもよい。
【００７６】
上述の実施形態では、鍵装置２は、開閉部材５の解錠操作及び施錠操作の両方を行うことができるが、他の構成であってもよい。例えば、鍵装置２は、開閉部材５の解錠操作だけを行う構成であってもよい。すなわち、鍵装置２は、開閉部材５の施錠操作及び解錠操作のうち少なくとも解錠操作を行うように構成されていればよい。
【００７７】
上述の実施形態では、開閉部材５は、建物４の内側４１と外側４２とを隔てる扉（開き戸又は引戸）又は窓であるが、建物４の一部の区画の内側４１と外側４２とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内側４１と外側４２とを隔てる扉が開閉部材５となる。
【００７８】
上述の実施形態では、電気錠制御システム１は戸建て住宅に適用されているが、例えば集合住宅の各住戸に適用されてもよい。また、電気錠制御システム１は、集合住宅の共用部玄関に適用されてもよいし、事務所、店舗、工場などの非住宅用の建物４に適用されてもよい。
【００７９】
（まとめ）
以上述べたように、第１の態様に係る電気錠制御システム（１）は、錠側通信部（１１）と、管理部（１２２）と、を備える。錠側通信部（１１）は、鍵装置（２）との間で無線通信を行う。管理部（１２２）は、第１登録装置（２Ａ）を管理する。第１登録装置（２Ａ）は、鍵装置（２）であって、鍵装置（２）と錠側通信部（１１）との間の通信により、電気錠（３）に建物（４）の開口部（４０）を開閉する開閉部材（５）の施錠及び解錠の少なくとも一方を行わせる。管理部（１２２）は、第２登録装置（２Ｂ）からの情報に基づいて、第２登録装置（２Ｂ）とは異なる他の鍵装置（２）に対して登録及び登録の削除の少なくとも一方を行う。第２登録装置（２Ｂ）は、鍵装置（２）であって第１登録装置（２Ａ）の登録及び登録の削除の少なくとも一方を行う権限を有する。
【００８０】
この態様によれば、電気錠（３）に開閉部材（５）の施錠及び解錠の少なくとも一方を行わせる鍵装置（２）について、登録又は登録の削除を行う場合の利便性を向上させることができる、という利点がある。
【００８１】
第２の態様に係る電気錠制御システム（１）では、第１の態様において、第２登録装置（２Ｂ）は、錠側通信部（１１）からの情報を表示する表示部（２５）を有している。管理部（１２２）は、第２登録装置（２Ｂ）からの情報に基づいて、第１登録装置（２Ａ）に関する情報を、錠側通信部（１１）から第２登録装置（２Ｂ）へ出力する。
【００８２】
この態様によれば、第２登録装置（２Ｂ）を所有するユーザ（６Ｂ）が、電気錠制御システム（１）に登録されている鍵装置（第１登録装置（２Ａ））を把握し易い、という利点がある。
【００８３】
第３の態様に係る電気錠制御システム（１）では、第２の態様において、第１登録装置（２Ａ）に関する情報は、第１登録装置（２Ａ）の種別を含む。
【００８４】
この態様によれば、第２登録装置（２Ｂ）を所有するユーザ（６Ｂ）が、電気錠制御システム（１）に登録されている鍵装置（第１登録装置（２Ａ））の種類を把握し易い、という利点がある。
【００８５】
第４の態様に係る電気錠制御システム（１）では、第３の態様において、管理部（１２２）は、第２登録装置（２Ｂ）からの情報に基づいて、第１登録装置（２Ａ）の種類ごとに、登録の削除を行う。
【００８６】
この態様によれば、第２登録装置（２Ｂ）を所有するユーザ（６Ｂ）が、電気錠制御システム（１）に登録されている鍵装置（第１登録装置（２Ａ））の登録を、鍵装置の種類ごとに一括して削除することができる、という利点がある。
【００８７】
第５の態様に係る電気錠制御システム（１）では、第１〜第４のいずれかの態様において、第２登録装置（２Ｂ）は、複数台である。
【００８８】
この態様によれば、複数のユーザ（６）が電気錠制御システム（１）に登録されている鍵装置（第１登録装置（２Ａ））の登録又は登録の削除を行えるため、利便性が向上する、という利点がある。
【００８９】
第６の態様に係る通信方法は、鍵側通信部（２２）を有する鍵装置（２）（第２登録装置（２Ｂ））の通信方法である。すなわち、通信方法は、鍵側通信部（２２）と、電気錠（３）を制御する電気錠制御システム（１）との通信により、登録装置（第１登録装置（２Ａ））の登録及び登録の削除の少なくとも一方を行う権限を有する鍵装置（２）の通信方法である。電気錠（３）は、建物（４）の開口部（４０）を開閉する開閉部材（５）を施錠又は解錠する。登録装置（第１登録装置（２Ａ））は、電気錠（３）に施錠及び解錠の少なくとも一方を行わせる。通信方法は、要求ステップを有する。要求ステップは、鍵側通信部（２２）と電気錠制御システム（１）との通信により、上記鍵装置（２）とは異なる他の鍵装置（２）に対する登録、及び登録の削除の少なくとも一方を電気錠制御システム（１）へ要求するステップである。
【００９０】
この態様によれば、電気錠（３）に開閉部材（５）の施錠及び解錠の少なくとも一方を行わせる鍵装置（２）について、登録又は登録の削除を行う場合の利便性を向上させることができる、という利点がある。
【００９１】
第７の態様に係る通信方法では、第６の態様において、鍵装置（２）は、電気錠制御システム（１）からの情報を表示する表示部（２５）を有している。通信方法は、表示ステップを更に有する。表示ステップは、電気錠制御システム（１）からの情報に基づいて、登録装置（第１登録装置（２Ａ））に関する情報を、表示部（２５）に表示するステップである。
【００９２】
この態様によれば、鍵装置（２）を所有するユーザ（６）が、電気錠制御システム（１）に登録されている鍵装置（第１登録装置（２Ａ））を把握し易い、という利点がある。
【００９３】
第８の態様に係るプログラムは、コンピュータシステムに、第６又は第７の態様の通信方法を実行させるためのプログラムである。
【００９４】
この態様によれば、電気錠（３）に開閉部材（５）の施錠及び解錠の少なくとも一方を行わせる鍵装置（２）について、登録又は登録の削除を行う場合の利便性を向上させることができる、という利点がある。
【００９５】
第２〜第５の態様に係る構成については、電気錠制御システム（１）に必須の構成ではなく、適宜省略可能である。
【００９６】
第７の態様に係るステップについては、鍵装置（２）の通信方法に必須のステップではなく、適宜省略可能である。
【符号の説明】
【００９７】
１  電気錠制御システム
１１  錠側通信部
１２２  管理部
２  鍵装置
２Ａ  第１登録装置（登録装置）
２Ｂ  第２登録装置
２２  鍵側通信部
２５  表示部
３  電気錠
４  建物
４０  開口部
５  開閉部材
【図１】
2019039237.tif 000003
【図２】
2019039237.tif 000004
【図３】
2019039237.tif 000005
【図４】
2019039237.tif 000006
【図５】
2019039237.tif 000007